(57)【要約】【課題】  マイクロチャネル（32）を有する熱交換器用プレート（30）を容易に形成できるようにして、マイクロチャネル型熱交換器の実用化を可能にする。【解決手段】  プレート基板（33）内に、上記マイクロチャネル（32）を構成するマイクロチューブ（34）が埋め込む構成とする。【選択図】  図２
2005326068.tif 000002
【特許請求の範囲】
【請求項１】
マイクロチャネル（32）を有する熱交換器用プレートであって、
プレート基板（33）内に、上記マイクロチャネル（32）を構成するマイクロチューブ（34）が埋め込まれていることを特徴とする熱交換器用プレート。
【請求項２】
請求項１に記載の熱交換器用プレートにおいて、
プレート基板（33）は、基材フィルム（35）と、基材フィルム（35）の片面に形成された接着層（36）とを有し、
上記接着層（36）の内部にマイクロチューブ（34）が埋め込まれていることを特徴とする熱交換器用プレート。
【請求項３】
請求項１に記載の熱交換器用プレートにおいて、
プレート基板（33）は、２枚の基材フィルム（35）と、両基材フィルム（35）の間に形成された接着層（36）とを有し、
上記接着層（36）の内部にマイクロチューブ（34）が埋め込まれていることを特徴とする熱交換器用プレート。
【請求項４】
請求項３に記載の熱交換器用プレートにおいて、
２枚の基材フィルム（35）が端縁部において互いに接合されていることを特徴とする熱交換器用プレート。
【請求項５】
複数の熱交換器用プレート（30）を所定間隔で平行に配列することによって構成された熱交換器であって、
上記熱交換器用プレート（30）が請求項１から４のいずれか１に記載の熱交換器用プレート（30）によって構成され、
各熱交換器用プレート（30）のマイクロチャネル（32）の一端に連通する第１ヘッダ（41）と、該マイクロチャネル（32）の他端に連通する第２ヘッダ（42）とを備えていることを特徴とする熱交換器。
【請求項６】
請求項５に記載の熱交換器において、
熱交換器用プレート（30）は、マイクロチャネル（32）の一端に連通する第１ヘッダ開口（41a）と、マイクロチャネル（32）の他端に連通する第２ヘッダ開口（42a）とを備え、
各熱交換器用プレート（30）の間には、各ヘッダ開口（41a，42a）に対応する開口（43a）を有するスペーサ（43）が、該熱交換器用プレート（30）と密着するように配設されていることを特徴とする熱交換器。
【請求項７】
第１流体が流れる第１熱交換器用プレート（30A）と第２流体が流れる第２熱交換器用プレート（30B）とを交互に積層することによって構成された熱交換器であって、
上記第１及び第２熱交換器用プレート（30A，30B）が請求項１から４のいずれか１に記載の熱交換器用プレート（30）によって構成され、
第１熱交換器用プレート（30A）のマイクロチャネル（32）の一端に連通する第１流体用第１ヘッダ（51）と、該マイクロチャネル（32）の他端に連通する第１流体用第２ヘッダ（52）と、第２熱交換器用プレート（30B）のマイクロチャネル（32）の一端に連通する第２流体用第１ヘッダ（53）と、該マイクロチャネル（32）の他端に連通する第２流体用第２ヘッダ（54）とを備えていることを特徴とする熱交換器。
【請求項８】
請求項７に記載の熱交換器において、
第１熱交換器用プレート（30A）は、マイクロチャネル（32）の一端に連通する第１流体用第１ヘッダ開口（51a）と、マイクロチャネル（32）の他端に連通する第１流体用第２ヘッダ開口（52a）とを備え、
第２熱交換器用プレート（30B）は、マイクロチャネル（32）の一端に連通する第２流体用第１ヘッダ開口（53a）と、マイクロチャネル（32）の他端に連通する第２流体用第２ヘッダ開口（54a）とを備え、
第１熱交換器用プレート（30A）には、隣り合う第２熱交換器用プレート（30B）の上記第２流体用第１ヘッダ開口（53a）同士を連通させる第２流体用第１連通孔（53b）と、上記第２流体用第２ヘッダ開口（54a）同士を連通させる第２流体用第２連通孔（54b）とが形成され、
第２熱交換器用プレート（30B）には、隣り合う第１熱交換器用プレート（30A）の上記第１流体用第１ヘッダ開口（51a）同士を連通させる第１流体用第１連通孔（51b）と、上記第１流体用第２ヘッダ開口（52a）同士を連通させる第１流体用第２連通孔（52b）とが形成されていることを特徴とする熱交換器。
【発明の詳細な説明】
【技術分野】
【０００１】
本発明は、熱交換器用プレート及びこの熱交換器用プレートを用いた熱交換器に関し、特に、熱交換器用プレートにマイクロチャネルを形成する技術に関するものである。
【背景技術】
【０００２】
従来より、マイクロチャネルのように断面積が小さい流路を持った熱交換器を用いると、熱伝導性を高め、熱交換器を小型で高性能にすることができるとされている。このマイクロチャネル型の交換器としては、複数枚のプレートを積層し、プレート間に流体用の流路を形成したプレート熱交換器がある（例えば、特許文献１参照）。このプレート熱交換器は、２流体間で熱交換を行わせる熱交換器である。
【０００３】
特許文献１の熱交換器は、ヘッダ用貫通孔を設けたヘッダプレートと、マイクロチャネルを構成するスリットを設けた流体用プレートと、これらの間に位置する中間プレートとを積層することで構成されている。この特許文献１において、上記スリットは、プレス加工による打ち抜きで形成することができると記載されている。
【特許文献１】特開２００３−２７９２８３号公報
【発明の開示】
【発明が解決しようとする課題】
【０００４】
しかし、上記マイクロチャネル型熱交換器において、微細なマイクロチャネルをプレス加工で形成することは、現実的にはほとんど不可能である。したがって、この構造のマイクロチャネル型熱交換器を実用化するのは極めて困難であった。また、スリットを形成した熱交換器用プレートに別の熱交換器用プレートを接合（例えばろう付け）してスリットの開口面を塞ぐことでマイクロチャネルを形成するため、ろう付けなどの繁雑な作業も必要であった。
【０００５】
一方、一般に空気調和装置では、僅かな間隔をあけて平行に配列したプレート状の多数の伝熱フィン（熱交換器用プレート）と、この伝熱フィンを貫通する伝熱管とからなるクロスフィン型の熱交換器が用いられているが、この伝熱フィンにマイクロチャネルを形成し、各伝熱フィンのマイクロチャネル同士を相互に連通させると、伝熱管が不要になり、熱交換器を小型化できると考えられる。しかし、特許文献１の構造の熱交換器用プレートを伝熱フィンに利用する場合、マイクロチャネルを有する伝熱フィン自体の製造が困難であるため、そのようなクロスフィン型の熱交換器を実用化することも困難であった。
【０００６】
本発明は、このような問題点に鑑みて創案されたものであり、その目的は、マイクロチャネルを有する熱交換器用プレートを容易に製作できるようにして、マイクロチャネル型熱交換器の実用化を可能にすることである。
【課題を解決するための手段】
【０００７】
本発明は、プレート基板内に、マイクロチャネルを構成するマイクロチューブを埋め込むことで熱交換器用プレートを構成するようにしたものである。
【０００８】
具体的に、第１の発明は、マイクロチャネル（32）を有する熱交換器用プレートを前提としている。そして、この熱交換器用プレートは、プレート基板（33）内に、上記マイクロチャネル（32）を構成するマイクロチューブ（34）が埋め込まれていることを特徴としている。
【０００９】
この第１の発明では、冷媒などの流体は、プレート基板（33）内にマイクロチューブ（34）を埋め込むことによって形成されたマイクロチャネル（32）内を流れる。この構成では、プレート基板（33）にマイクロチューブ（34）を埋め込んでいるため、プレス加工などを行わずにマイクロチャネル（32）を形成できる。また、各プレート基板（33）自体ににマイクロチャネル（32）が完成した形として形成されるため、数枚のプレートを重ねてろう付けするような作業も不要となる。
【００１０】
第２の発明は、第１の発明の熱交換器用プレートにおいて、プレート基板（33）が、基材フィルム（35）と、基材フィルム（35）の片面に形成された接着層（36）とを有し、上記接着層（36）の内部にマイクロチューブ（34）が埋め込まれていることを特徴としている。
【００１１】
この第２の発明では、例えばアルミ箔などの基材フィルム（35）の片面に、例えば高熱伝導性の粉末を混入したエポキシ系の接着剤を塗布して接着層（36）を形成し、該接着層（36）の中にマイクロチューブ（34）を埋め込むことで熱交換器用プレートを形成できる。
【００１２】
第３の発明は、第１の発明の熱交換器用プレートにおいて、プレート基板（33）が、２枚の基材フィルム（35）と、両基材フィルム（35）の間に形成された接着層（36）とを有し、上記接着層（36）の内部にマイクロチューブ（34）が埋め込まれていることを特徴としている。
【００１３】
この第３の発明では、例えばアルミ箔などの基材フィルム（35）の片面に、例えば高熱伝導性の粉末を混入したエポキシ系の接着剤を塗布して接着層（36）を形成し、さらに該接着層（36）の中にマイクロチューブ（34）を埋め込んだ後、接着層（36）にもう１枚の基材フィルム（35）を積層することにより、熱交換器用プレートを形成できる。
【００１４】
第４の発明は、第３の発明の熱交換器用プレートにおいて、２枚の基材フィルム（35）が端縁部において互いに接合されていることを特徴としている。
【００１５】
この第４の発明では、例えばアルミ箔などの基材フィルム（35）の片面に、例えば高熱伝導性の粉末を混入したエポキシ系の接着剤を塗布して接着層（36）を形成し、さらに該接着層（36）の中にマイクロチューブ（34）を埋め込んだ後、接着層（36）にもう１枚の基材フィルム（35）を積層し、基材フィルム（35）の端縁部を互いに接合することにより、熱交換器用プレートを形成できる。
【００１６】
第５の発明は、複数の熱交換器用プレート（30）を所定間隔で平行に配列することによって構成された熱交換器（空気熱交換器）を前提としている。そして、この熱交換器は、上記熱交換器用プレート（30）が第１から第４のいずれか１の発明の熱交換器用プレート（30）によって構成され、各熱交換器用プレート（30）のマイクロチャネル（32）の一端に連通する第１ヘッダ（41）と、該マイクロチャネル（32）の他端に連通する第２ヘッダ（42）とを備えていることを特徴としている。
【００１７】
この第５の発明では、熱交換器へ流入する冷媒などの流体は、第１ヘッダ（41）から各熱交換器用プレート（30）のマイクロチャネル（32）に分流した後、第２ヘッダ（42）で合流し、熱交換器から流出する。その際、各熱交換器用プレート（30）の間の空間を空気が流れ、上記マイクロチャネル（32）を流れる冷媒などの流体と空気とが効率よく熱交換を行う。
【００１８】
第６の発明は、第５の発明の熱交換器において、熱交換器用プレート（30）が、マイクロチャネル（32）の一端に連通する第１ヘッダ開口（41a）と、マイクロチャネル（32）の他端に連通する第２ヘッダ開口（42a）とを備え、各熱交換器用プレート（30）の間には、各ヘッダ開口（41a，42a）に対応する開口（43a）を有するスペーサ（43）が、該熱交換器用プレート（30）と密着するように配設されていることを特徴としている。
【００１９】
この第６の発明では、熱交換器用プレート（30）とスペーサ（43）とを交互に積層することによって、隣り合う熱交換器用プレート（30）の第１ヘッダ開口（41a）同士がスペーサ（43）の開口（43a）を介して連通し、第１ヘッダ（41）が構成され、隣り合う熱交換器用プレート（30）の第２ヘッダ開口（42a）同士がスペーサ（43）の開口（43a）を介して連通し、第２ヘッダ（42）が構成される。
【００２０】
第７の発明は、第１流体が流れる第１熱交換器用プレート（30A）と第２流体が流れる第２熱交換器用プレート（30B）とを交互に積層することによって構成された熱交換器（プレート熱交換器）を前提としている。そして、この熱交換器は、上記第１及び第２熱交換器用プレート（30A，30B）が第１から第４のいずれか１の発明の熱交換器用プレート（30）によって構成され、第１熱交換器用プレート（30A）のマイクロチャネル（32）の一端に連通する第１流体用第１ヘッダ（51）と、該マイクロチャネル（32）の他端に連通する第１流体用第２ヘッダ（52）と、第２熱交換器用プレート（30B）のマイクロチャネル（32）の一端に連通する第２流体用第１ヘッダ（53）と、該マイクロチャネル（32）の他端に連通する第２流体用第２ヘッダ（54）とを備えていることを特徴としている。
【００２１】
この第７の発明では、熱交換器へ流入する第１の流体は、第１流体用第１ヘッダ（51）から各第１熱交換器用プレート（30A）のマイクロチャネル（32）に分流した後、第１流体用第２ヘッダ（52）で合流し、熱交換器から流出する。また、熱交換器へ流入する第２の流体は、第２流体用第１ヘッダ（53）から各第２熱交換器用プレート（30B）のマイクロチャネル（32）に分流した後、第２流体用第２ヘッダ（54）で合流し、熱交換器から流出する。その際、各熱交換器用プレート（30A，30B）のマイクロチャネル（32）を流れる２流体の間で熱交換が効率よく行われる。
【００２２】
第８の発明は、第７の発明の熱交換器において、第１熱交換器用プレート（30A）が、マイクロチャネル（32）の一端に連通する第１流体用第１ヘッダ開口（51a）と、マイクロチャネル（32）の他端に連通する第１流体用第２ヘッダ開口（52a）とを備え、第２熱交換器用プレート（30B）が、マイクロチャネル（32）の一端に連通する第２流体用第１ヘッダ開口（53a）と、マイクロチャネル（32）の他端に連通する第２流体用第２ヘッダ開口（54a）とを備え、第１熱交換器用プレート（30A）には、隣り合う第２熱交換器用プレート（30B）の上記第２流体用第１ヘッダ開口（53a）同士を連通させる第２流体用第１連通孔（53b）と、上記第２流体用第２ヘッダ開口（54a）同士を連通させる第２流体用第２連通孔（54b）とが形成され、第２熱交換器用プレート（30B）には、隣り合う第１熱交換器用プレート（30A）の上記第１流体用第１ヘッダ開口（51a）同士を連通させる第１流体用第１連通孔（51b）と、上記第１流体用第２ヘッダ開口（52a）同士を連通させる第１流体用第２連通孔（52b）とが形成されていることを特徴としている。
【００２３】
この第８の発明では、第１熱交換器用プレート（30A）と第２熱交換器用プレート（30B）とを交互に積層することによって、隣り合う第１熱交換器用プレート（30A）の第１流体用第１ヘッダ開口（51a）同士が第２熱交換器用プレート（30B）の第１流体用第１連通孔（51b）を介して連通し、第１流体用第１ヘッダ（51）が構成され、隣り合う第１熱交換器用プレート（30A）の第１流体用第２ヘッダ開口（52a）同士が第２熱交換器用プレート（30B）の第１流体用第２連通孔（52b）を介して連通し、第１流体用第２ヘッダ（52）が構成される。また、隣り合う第２熱交換器用プレート（30B）の第２流体用第１ヘッダ開口（53a）同士が第１熱交換器用プレート（30A）の第２流体用第１連通孔（53b）を介して連通し、第２流体用第１ヘッダ（53）が構成され、隣り合う第２熱交換器用プレート（30B）の第２流体用第２ヘッダ開口（54a）同士が第１熱交換器用プレート（30A）の第２流体用第２連通孔（54b）を介して連通し、第２流体用第２ヘッダ（54）が構成される。
【発明の効果】
【００２４】
上記第１の発明によれば、プレート基板（33）内に、マイクロチャネル（32）を構成するマイクロチューブ（34）を埋め込むことで熱交換器用プレートを構成しているため、プレス加工などを行わずにマイクロチャネル（32）を形成できるうえ、各プレート基板（33）にマイクロチャネル（32）が完成した形で形成されるため、数枚のプレートを重ねてろう付けするような作業も不要となる。したがって、熱交換器用プレート（30）を簡単に製造することができ、マイクロチャネル型熱交換器の実用化も可能となる。
【００２５】
上記第２の発明によれば、基材フィルム（35）の片面に接着剤を塗布して接着層（36）を形成し、該接着層（36）の中にマイクロチューブ（34）を埋め込むことで熱交換器用プレートを形成できるため、熱交換器用プレート（30）を容易に製造することができる。
【００２６】
上記第３の発明によれば、プレート基板（33）が、２枚の基材フィルム（35）と、両基材フィルム（35）の間に形成された接着層（36）とを有し、上記接着層（36）の内部にマイクロチューブ（34）が埋め込まれているため、例えば基材フィルム（35）にガスバリア性を持ったアルミ箔などの材料を用いると、接着剤層が樹脂系であることに加えてマイクロチューブ（34）も樹脂製にした場合でも、マイクロチャネル（32）内を流れる冷媒などの流体が外部に漏れ出すのを防止できる。
【００２７】
上記第４の発明によれば、２枚の基材フィルム（35）が端縁部において接合されているため、基材フィルム（35）にガスバリア性を持ったアルミ箔などの材料を用いることにより、マイクロチャネル（32）内を流れる冷媒などの流体が外部に漏れ出すのをより確実に防止できる。
【００２８】
上記第５の発明によれば、複数の熱交換器用プレート（30）を所定間隔で平行に配列し、各熱交換器用プレート（30）のマイクロチャネル（32）の一端に連通する第１ヘッダ（41）と、該マイクロチャネル（32）の他端に連通する第２ヘッダ（42）とを設けるだけで、マイクロチャネル型の空気熱交換器を実用化できる。したがって、従来のクロスフィン型の空気熱交換器に比べて熱交換器を小型化できるとともに、冷媒などの流路をマイクロチャネル（32）にすることによって高性能化を図ることも可能となる。
【００２９】
上記第６の発明によれば、熱交換器用プレート（30）とスペーサ（43）とを交互に積層して、隣り合う熱交換器用プレート（30）の第１ヘッダ開口（41a）同士をスペーサ（43）の開口（43a）を介して連通させるとともに、隣り合う熱交換器用プレート（30）の第２ヘッダ開口（42a）同士をスペーサ（43）の開口（43a）を介して連通させることによって、マイクロチャネル型の空気熱交換器を簡単に構成できる。
【００３０】
上記第７の発明によれば、第１流体が流れる第１熱交換器用プレート（30A）と第２流体が流れる第２熱交換器用プレート（30B）とを交互に積層し、第１熱交換器用プレート（30A）のマイクロチャネル（32）の一端に連通する第１流体用第１ヘッダ（51）と、該マイクロチャネル（32）の他端に連通する第１流体用第２ヘッダ（52）と、第２熱交換器用プレート（30B）のマイクロチャネル（32）の一端に連通する第２流体用第１ヘッダ（53）と、該マイクロチャネル（32）の他端に連通する第２流体用第２ヘッダ（54）とを設けるだけで、マイクロチャネル型のプレート熱交換器を実用化できる。したがって、従来のプレート熱交換器に比べて熱交換器を小型化できるとともに、流体の流路をマイクロチャネル（32）にすることによって高性能化を図ることも可能となる。
【００３１】
上記第８の発明によれば、第１熱交換器用プレート（30A）と第２熱交換器用プレート（30B）とを交互に積層して、隣り合う第１熱交換器用プレート（30A）の第１流体用第１ヘッダ開口（51a）同士を第２熱交換器用プレート（30B）の第１流体用第１連通孔（51b）を介して連通させ、隣り合う第１熱交換器用プレート（30A）の第１流体用第２ヘッダ開口（52a）同士を第２熱交換器用プレート（30B）の第１流体用第２連通孔（52b）を介して連通させるとともに、隣り合う第２熱交換器用プレート（30B）の第２流体用第１ヘッダ開口（53a）同士を第１熱交換器用プレート（30A）の第２流体用第１連通孔（53b）を介して連通させ、隣り合う第２熱交換器用プレート（30B）の第２流体用第２ヘッダ開口（54a）同士を第１熱交換器用プレート（30A）の第２流体用第２連通孔（54b）を介して連通させることによって、マイクロチャネル型のプレート熱交換器を簡単に構成できる。
【発明を実施するための最良の形態】
【００３２】
以下、本発明の実施形態を図面に基づいて詳細に説明する。
【００３３】
《発明の実施形態１》
本実施形態１の熱交換器（10）は、例えば空気調和装置の冷媒回路に設けられている。この熱交換器（10）は、冷媒回路内を循環する冷媒を凝縮または蒸発させて温風または冷風を生成するもので、室内熱交換器や室外熱交換器として機能するものである。
【００３４】
この熱交換器（10）は、図１（Ａ）に示すように、２つの流入側ヘッダ（第１ヘッダ）（20）及び２つの流出側ヘッダ（第２ヘッダ）（21）と、複数の伝熱フィン（熱交換器用プレート）（30）とを備えている。
【００３５】
伝熱フィン（30）は、図１（Ｂ）に示すように、内部に、内径が１〜２ｍｍ程度ないしはそれ以下の複数のマイクロチャネル（細径流路）（32）を有している。このため、プレート基板（33）内に、マイクロチャネル（32）を構成するマイクロチューブ（34）が埋め込まれている。具体的には、この伝熱フィン（30）は、図２（Ａ）に示すように、基材フィルム（35）と、基材フィルム（35）の片面に形成された接着層（36）とを有している。そして、この接着層（36）の内部に、上記マイクロチューブ（34）が埋め込まれている。マイクロチャネル（32）は、一端が伝熱フィン（30）の一方の端面に開口し、他端が伝熱フィン（30）の他方の端面に開口している。そして、上記流入側ヘッダ（第１ヘッダ）（20）は、各伝熱フィン（30）のマイクロチャネル（32）の一端に連通し、流出側ヘッダ（第２ヘッダ）（21）は、マイクロチャネル（32）の他端に連通している。
【００３６】
上記伝熱フィン（30）の基材フィルム（35）は、例えばアルミ箔などの高熱伝導性の薄いフィルムにより構成され、マイクロチューブ（34）は高熱伝導性樹脂や金属のチューブにより構成されている。また、接着層（36）には、エポキシ系の接着剤に酸化アルミニウムの粉末を混入した高熱伝導性樹脂の接着剤が用いられる。
【００３７】
上記各流入側ヘッダ（20）及び流出側ヘッダ（21）は、扁平な直方体状の箱形に形成されている。流入側ヘッダ（20）は、第１流入側ヘッダ（20a）及び第２流入側ヘッダ（20b）から構成され、流出側ヘッダ（21）は、第１流出側ヘッダ（21a）及び第２流出側ヘッダ（21b）から構成されている。
【００３８】
第１流入側ヘッダ（20a）及び第１流出側ヘッダ（21a）は、容積が第２流入側ヘッダ（20b）及び第２流出側ヘッダ（21b）よりも大きく形成されている。この２つの流入側ヘッダ（20）と２つの流出側ヘッダ（21）とは、上下方向に所定の間隔をあけて、交互に且つ平行に配列されている。具体的に、図の上から第２流出側ヘッダ（21b）、第１流入側ヘッダ（20a）、第１流出側ヘッダ（21a）及び第２流入側ヘッダ（20b）の順に配置されている。
【００３９】
上記第１及び第２流入側ヘッダ（20a,20b）には、共通の分流チャンバ（25）が一体成形によって設けられている。一方、上記第１及び第２流出側ヘッダ（21a,21b）には、共通の集合チャンバ（26）が一体成形によって設けられている。
【００４０】
なお、ここでの名称である「流入側ヘッダ」及び「流出側ヘッダ」は、図１の冷媒流れ方向を前提としたものであり、冷媒の流れ方向を反転させた場合には、「流入側ヘッダ」が「流出側ヘッダ」に、「流出側ヘッダ」が「流入側ヘッダ」になる。この点は、「分流チャンバ」及び「集合チャンバ」についても同様であり、冷媒の流れ方向を反転させた場合には、「分流チャンバ」が「集合チャンバ」に、「集合チャンバ」が分流チャンバになる。
【００４１】
上記分流チャンバ（25）及び集合チャンバ（26）は、直方体状の箱形に形成されている。上記分流チャンバ（25）は、第１及び第２流入側ヘッダ（20a,20b）の一端側に位置する一方、上記集合チャンバ（26）は、第１及び第２流出側ヘッダ（21a,21b）における分流チャンバ（25）とは反対側の端部に位置している。上記分流チャンバ（25）と集合チャンバ（26）とは、流入側ヘッダ（20a,20b）及び流出側ヘッダ（21a,21b）を挟むように互いに対向して配置されている。つまり、上記流入側ヘッダ（20a,20b）及び流出側ヘッダ（21a,21b）は、分流チャンバ（25）及び集合チャンバ（26）の互いに対向する面の所定部位から突出して延びるように形成されている。そして、上記分流チャンバ（25）は、第１及び第２流入側ヘッダ（20a,20b）に連通し、上記集合チャンバ（26）は、第１及び第２流出側ヘッダ（21a,21b）に連通している。
【００４２】
上記分流チャンバ（25）及び集合チャンバ（26）には、流入管（22）及び流出管（23）が接続されている。この流入管（22）及び流出管（23）は、冷媒回路の配管に接続されている。上記複数の伝熱フィン（30）は、互いに対向する流入側ヘッダ（20）と流出側ヘッダ（21）との間に設けられている。なお、この「流入管」及び「流出管」も、冷媒の流れ方向が反転した場合には、「流入管」が「流出管」となり、「流出管」が「流入管」となる。
【００４３】
上記第１流入側ヘッダ（20a）及び第１流出側ヘッダ（21a）は、それぞれの上下に設けられた伝熱フィン（30）のマイクロチャネル（32）に連通するように構成されている。一方、上記第２流入側ヘッダ（20b）は、その上側に設けられた伝熱フィン（30）のマイクロチャネル（32）に連通するように構成され、上記第２流出側ヘッダ（21b）は、その下側に設けられた伝熱フィン（30）のマイクロチャネル（32）に連通するように構成されている。
【００４４】
上記の場合、冷媒回路の冷媒が流入管（22）を通って分流チャンバ（25）に流入した後、第１及び第２流入側ヘッダ（20a,20b）に分流する。上記第１流入側ヘッダ（20a）の冷媒は、第１流入側ヘッダ（20a）の上下に設けられた伝熱フィン（30）のマイクロチャネル（32）に分流し、第１及び第２流出側ヘッダ（21a,21b）に流入する。一方、上記第２流入側ヘッダ（20b）の冷媒は、第２流入側ヘッダ（20b）の上側に設けられた伝熱フィン（30）のマイクロチャネル（32）を通って第１流出側ヘッダ（21a）に流入して、第１流入側ヘッダ（20a）からの冷媒と合流する。上記第１及び第２流出側ヘッダ（21a,21b）の冷媒は、集合チャンバ（26）で合流し、流出管（23）を通って冷媒回路に戻る。
【００４５】
そして、冷媒は、伝熱フィン（30）のマイクロチャネルを流れるときに、その周囲を通過する空気と熱交換し、冷房運転時の空気の冷却や暖房運転時の空気の加熱加熱などを行う。
【００４６】
−実施形態１の効果−
この実施形態１では、基材フィルム（35）と接着層（36）とからなるプレート基板（33）内にマイクロチューブ（34）を埋め込むことによって伝熱フィン（30）を構成しているので、プレス加工などは不要であり、容易に製造することができる。また、マイクロチャネルを形成するために複数枚のプレート同士をろう付けすることも不要であるため、製造は容易である。
【００４７】
また、伝熱フィン（30）にスリットなどを形成せず、各伝熱フィン（30）にマイクロチャネル（32）を完成した流路として形成できるため、本実施形態のように複数枚の伝熱フィン（30）を所定間隔で配列するだけで空気と冷媒とが熱交換をするマイクロチャネル型の空気熱交換器を実用化できる。しかも、空気熱交換器をマイクロチャネル(32)型にすると、従来のクロスフィン型の熱交換器に比較して、小型化、高性能化が可能となる。
【００４８】
また、各部に樹脂を用いているので、腐食に強く、柔軟で形状自由度が高い熱交換器が可能となる。
【００４９】
−実施形態１の変形例−
（変形例１）
伝熱フィン（30）は、図２（Ｂ）に示すように形成してもよい。この例において、伝熱フィン（30）は、２枚の基材フィルム（35）と、両基材フィルム（35）の間に形成された接着層（36）とを有している。そして、上記接着層（36）の内部にマイクロチューブ（34）が埋め込まれている。
【００５０】
このように接着層（36）を両面から基材フィルム（35）でサンドイッチする構造にすると、接着層（36）が樹脂であるうえに、樹脂のマイクロチューブ（34）を使ったとしても、基材フィルムにガスバリア性を持たせることで、マイクロチャネル（32）を流れる冷媒が外部に漏れ出してしまうことを防止できる。
【００５１】
また、この伝熱フィン（30）も容易に製作できるので、コンパクトで高性能なマイクロチャネル型の熱交換器を実用化できる。
【００５２】
（変形例２）
伝熱フィン（30）は、図２（Ｃ）に示すように形成してもよい。この例において、伝熱フィン（30）は、２枚の基材フィルム（35）と、両基材フィルム（35）の間に形成された接着層（36）とを有し、２枚の基材フィルム（35）が端縁部において互いに直接に接合されている。上記接着層（36）の内部にマイクロチューブ（34）が埋め込まれている点は、図２（Ｂ）の変形例１と同様である。
【００５３】
このように構成すると、接着層（36）が２枚の基材フィルム（35）の間に封じ込められた状態となるため、基材フィルムにガスバリア性を持たせることで、マイクロチャネル（32）を流れる冷媒が外部に漏れ出してしまうことをより確実に防止できる。
【００５４】
また、この伝熱フィン（30）も容易に製作できるため、コンパクトで高性能なマイクロチャネル型の熱交換器を実用化できる。
【００５５】
《発明の実施形態２》
実施形態２は、空気と冷媒とが熱交換をする熱交換器の具体構造に関する例を示したものである。
【００５６】
図３に示すように、この熱交換器（10）では、各伝熱フィン（30）に、複数のマイクロチャネル（32）が、互いに平行に配列されている。また、この伝熱フィン（30）は、マイクロチャネル（32）の一端に連通する第１ヘッダ開口（41a）と、マイクロチャネル（32）の他端に連通する第２ヘッダ開口（42a）とを備えている。さらに、この空気熱交換器（10）において、各伝熱フィン（30）の間には、各ヘッダ開口（41a，42a）に対応する開口（43a）を有するスペーサ（43）が、隣り合う伝熱フィン（30）同士の間で、両伝熱フィン（30）と密着するように配設されている。
【００５７】
このように構成すると、伝熱フィン（30）とスペーサ（43）とを交互に積層するだけで、複数の伝熱フィン（30）が所定の間隔で配列され、かつ、マイクロチャネル（32）の一端に連通する第１ヘッダ開口（41a）とスペーサ（43）の開口（43a）により第１ヘッダ（41）が構成され、マイクロチャネル（32）の他端に連通する第２ヘッダ開口（42a）とスペーサ（43）の開口（43a）により第２ヘッダ（42）が構成される。
【００５８】
したがって、簡単な構造でマイクロチャネル型の空気熱交換器を実用化できる。また、特にマイクロチューブ（34）の端部の処理が不要であり、構成を簡素化できる。
【００５９】
−実施形態２の変形例−
空気熱交換器は、例えば図４に示すように構成してもよい。
【００６０】
この例では、伝熱フィン（30）には、隣り合う隅角部に第１ヘッダ開口（41a）と第２ヘッダ開口（42a）とが形成され、マイクロチャネル（32）は、第１ヘッダ開口（41a）から第２ヘッダ開口（42a）に連通するように波形に形成されている。
【００６１】
この変形例においても、隣り合う伝熱フィン（30）の間には、各ヘッダ開口（41a，42a）に対応する開口（43a）を有するスペーサ（43）が、該伝熱フィン（30）と密着するように配設されている。
【００６２】
このように構成しても、伝熱フィン（30）とスペーサ（43）とを交互に積層するだけで、複数の伝熱フィン（30）が所定の間隔で配列され、かつ、マイクロチャネル（32）の一端に連通する第１ヘッダ開口（41）と、マイクロチャネル（32）の他端に連通する第２ヘッダ開口（42）とが構成される。
【００６３】
したがって、上記と同様に、簡単な構造でマイクロチャネル型の空気熱交換器を実用化できる。
【００６４】
《発明の実施形態３》
実施形態３は、２流体が熱交換をするプレート熱交換器に関する例を示したものである。
【００６５】
図５に示すように、このプレート熱交換器（11）は、第１流体が流れる第１熱交換器用プレート（30A）と、第２流体が流れる第２熱交換器用プレート（30B）とを交互に積層することによって構成されている。図６（Ａ）に示すように、第１熱交換器用プレート（30A）と第２熱交換器用プレート（30B）は、図２に示した熱交換器用プレート（30）と同様に構成されている。具体的には、図６（Ａ）の下から３枚には図２（Ａ）に示した熱交換器用プレート（30）（基材フィルム（35）の片面に接着層（36）が設けられたもの）が用いられ、図６（Ａ）の一番上の１枚は図２（Ｂ）に示した熱交換器用プレート（30）（２枚の基材フィルム（35）の間に接着層（36）が設けられたもの）が用いられている。
【００６６】
この実施形態において、各第１熱交換器用プレート（30A）のマイクロチャネル（32）は、一端側が図示しない第１流体用第１ヘッダに連通し、他端側が図示しない第１流体用第２ヘッダに連通している。また、各第２熱交換器用プレート（30B）のマイクロチャネル（32）は、一端側が図示しない第２流体用第１ヘッダに連通し、他端側が図示しない第２流体用第２ヘッダに連通している。
【００６７】
こうすることにより、第１熱交換器用プレート（30A）のマイクロチャネル（32）には第１流体が流れ、第２熱交換器用プレート（30B）のマイクロチャネル（32）には第２流体が流れることになる。
【００６８】
この場合、各マイクロチャネル（32）を流れる第１流体と第２流体の向きが逆になるように、つまり対向流になるようにすると、熱交換効率を高めることができる。
【００６９】
この実施形態３では、第１流体が流れる第１熱交換器用プレート（30A）と第２流体が流れる第２熱交換器用プレート（30B）とを交互に積層するだけで、２流体が熱交換を行うプレート熱交換器（11）を構成することが可能である。
【００７０】
したがって、簡単な構造でマイクロチャネル型のプレート熱交換器を実用化することが可能である。
【００７１】
−実施形態３の変形例−
熱交換器用プレート（30）は、図２（Ｃ）に示したものを用いてもよい。その場合の断面構造図を図６（Ｂ）に示している。この例では、熱交換器用プレート（30）は、２枚の基材フィルム（35）と、両基材フィルム（35）の間に形成された接着層（36）とを有し、２枚の基材フィルム（35）が端縁部において互いに直接に接合されている。そして、上記接着層（36）の内部にマイクロチューブ（34）が埋め込まれてマイクロチャネル（32）が構成されている。
【００７２】
このように構成した熱交換器用プレート（30）を積層してプレート熱交換器を製作すると、各熱交換器用プレート（30）において接着層（36）が２枚の基材フィルム（35）の間に封じ込められているため、基材フィルムにガスバリア性を持たせることで、マイクロチャネル（32）を流れる冷媒が外部に漏れ出してしまうことを確実に防止できる。
【００７３】
また、このこのように構成しても、コンパクトで高性能なマイクロチャネル型のプレート熱交換器を実用化できる。
【００７４】
《発明の実施形態４》
実施形態４は、２流体が熱交換をするプレート熱交換器の具体構造に関する例を示したものである。
【００７５】
この実施形態４では、プレート熱交換器(11)において、第１流体用の第１，第２ヘッダ（51，52）と、第２流体用の第１，第２ヘッダ（53，54）とを簡単に構成するようにしている。
【００７６】
図７に示すように、このプレート熱交換器（11）では、各熱交換器用プレート（30A，30B）には、複数のマイクロチャネル（32）が互いに平行に配列されている。また、第１熱交換器用プレート（30A）のマイクロチャネル（32）と第２熱交換器用プレート（30B）のマイクロチャネル（32）は、互いに直交するように配置されている。
【００７７】
上記第１熱交換器用プレート（30A）は、該第１熱交換器用プレート（30A）のマイクロチャネル（32）の一端に連通する第１流体用第１ヘッダ開口（51a）と、該マイクロチャネル（32）の他端に連通する第１流体用第２ヘッダ開口（52a）とを備えている。また、第２熱交換器用プレート（30B）は、該第２熱交換器用プレート（30B）のマイクロチャネル（32）の一端に連通する第２流体用第１ヘッダ開口（53a）と、該マイクロチャネル（32）の他端に連通する第２流体用第２ヘッダ開口（54a）とを備えている。
【００７８】
上記第１熱交換器用プレート（30A）には、隣り合う第２熱交換器用プレート（30B）の上記第２流体用第１ヘッダ開口（53a）同士を連通させる第２流体用第１連通孔（53b）と、上記第２流体用第２ヘッダ開口（54a）同士を連通させる第２流体用第２連通孔（54b）とが形成されている。また、第２熱交換器用プレート（30B）には、隣り合う第１熱交換器用プレート（30A）の上記第１流体用第１ヘッダ開口（51a）同士を連通させる第１流体用第１連通孔（51b）と、上記第１流体用第２ヘッダ開口（52a）同士を連通させる第１流体用第２連通孔（52b）とが形成されている。
【００７９】
第１熱交換器用プレート（30A）と第２熱交換器用プレート（30B）とを交互に積層すると、第１流体用第１ヘッダ開口（51a）と第１流体用第１連通孔（51b）とによって第１流体用第１ヘッダ（51）が構成され、第１流体用第２ヘッダ開口（52a）と第１流体用第２連通孔（52b）とによって第１流体用第２ヘッダ（52）が構成される。また、第２流体用第１ヘッダ開口（53a）と第２流体用第１連通孔（53b）とによって第２流体用第１ヘッダ（53）が構成され、第２流体用第２ヘッダ開口（54a）と第２流体用第２連通孔（54b）とによって第２流体用第２ヘッダ（54）が構成される。
【００８０】
したがって、このプレート熱交換器（11）に流入してくる第１流体は、第１流体用第１ヘッダ（51）から各第１熱交換器用プレート（30A）のマイクロチャネル（32）に分岐した後、第１流体用第２ヘッダ（52）で合流し、該プレート熱交換器（11）から流出する。また、このプレート熱交換器（11）に流入してくる第２流体は、第２流体用第１ヘッダ（53）から各第２熱交換器用プレート（30B）のマイクロチャネル（32）に分岐した後、第２流体用第２ヘッダ（54）で合流し、該プレート熱交換器（51）から流出する。そして、第１流体と第２流体は、各熱交換器用プレート（30A，30B）のマイクロチャネル（32）を流れる際に効率よく熱交換を行う。
【００８１】
この実施形態４においても、第１流体が流れる第１熱交換器用プレート（30A）と第２流体が流れる第２熱交換器用プレート（30B）とを交互に積層するだけで、２流体が熱交換を行うプレート熱交換器（11）を構成することが可能である。
【００８２】
したがって、簡単な構造でマイクロチャネル型のプレート熱交換器（11）を実用化することが可能である。
【００８３】
−実施形態４の変形例−
実施形態４の変形例は、各ヘッダ開口（51a，52a，53a，54a）及びマイクロチャネル（32）の形状と配置を変更した例である。
【００８４】
この実施形態４では、第１熱交換器用プレート（30A）には、図における上側の隅角部に第１流体用第１ヘッダ開口（51a）と第１流体用第２ヘッダ開口（52a）とが形成されている。そして、第１流体用第１ヘッダ開口（51a）に一端が連通し、第１流体用第２ヘッダ開口（52a）に他端が連通するように、波形のマイクロチャネル（32）が形成されている。
【００８５】
一方、第２熱交換器用プレート（30B）には、図における下側の隅角部に第２流体用第１ヘッダ開口（53a）と第２流体用第２ヘッダ開口（54a）とが形成されている。そして、第２流体用第１ヘッダ開口（53a）に一端が連通し、第２流体用第２ヘッダ開口（54a）に他端が連通するように、波形のマイクロチャネル（32）が形成されている。第１熱交換器用プレート（30A）のマイクロチャネル（32）と第２熱交換器用プレート（30B）のマイクロチャネル（32）とは、互いに上下対象になるように形成されている。このことにより、第１流体と第２流体の流れは対向流となる。
【００８６】
上記第１熱交換器用プレート（30A）の下側の隅角部には、上記第２流体用第１ヘッダ開口（53a）同士を連通させる第２流体用第１連通孔（53b）と、上記第２流体用第２ヘッダ開口（54a）同士を連通させる第２流体用第２連通孔（54b）とが形成されている。また、第２熱交換器用プレート（30B）の上側の隅角部には、上記第１流体用第１ヘッダ開口（51a）同士を連通させる第１流体用第１連通孔（51b）と、上記第１流体用第２ヘッダ開口（52a）同士を連通させる第１流体用第２連通孔（52b）とが形成されている。
【００８７】
この熱交換器（11）においても、第１熱交換器用プレート（30A）と第２熱交換器用プレート（30B）とを交互に積層すると、第１流体用第１ヘッダ開口（51a）と第１流体用第１連通孔（51b）とによって第１流体用第１ヘッダ（51）が構成され、第１流体用第２ヘッダ開口（52a）と第１流体用第２連通孔（52b）とによって第１流体用第２ヘッダ（52）が構成される。また、第２流体用第１ヘッダ開口（53a）と第２流体用第１連通孔（53b）とによって第２流体用第１ヘッダ（53）が構成され、第２流体用第２ヘッダ開口（54a）と第２流体用第２連通孔（54b）とによって第２流体用第２ヘッダ（54）が構成される。
【００８８】
したがって、このプレート熱交換器（11）に流入してくる第１流体は、第１流体用第１ヘッダ（51）から各第１熱交換器用プレート（30A）のマイクロチャネル（32）に分岐した後、第１流体用第２ヘッダ（52）で合流し、該プレート熱交換器（11）から流出する。また、このプレート熱交換器（11）に流入してくる第２流体は、第２流体用第１ヘッダ（53）から各第２熱交換器用プレート（30B）のマイクロチャネル（32）に分岐した後、第２流体用第２ヘッダ（54）で合流し、該プレート熱交換器（51）から流出する。そして、第１流体と第２流体は、各熱交換器用プレート（30A，30B）のマイクロチャネル（32）を流れる際に効率よく熱交換を行う。
【００８９】
この変形例においても、第１流体が流れる第１熱交換器用プレート（30A）と第２流体が流れる第２熱交換器用プレート（30B）とを交互に積層するだけで、２流体が熱交換を行うプレート熱交換器（11）を構成することが可能である。
【００９０】
したがって、簡単な構造でマイクロチャネル型のプレート熱交換器（11）を実用化することが可能である。
【００９１】
また、この実施形態では第１流体と第２流体の流れる方向が対向流になるように各熱交換器用プレート（30A，30B）を配置しているので、熱交換器をより高性能化することが可能となる。
【００９２】
《その他の実施形態》
本発明は、上記実施形態について、以下のような構成としてもよい。
【００９３】
例えば、上記実施形態では、熱交換器用プレート（30）のプレート基板（33）を基材フィルム（35）と接着層（36）とから構成しているが、プレート基板（33）の構成は変更してもよい。例えば、基材フィルム（35）を設けずに樹脂の薄いプレート基板（33）を成形する際に、マイクロチューブを埋め込んでおくことで、熱交換器用プレート（30）を製造してもよい。
【００９４】
また、上記各実施形態において説明した空気熱交換器（10）やプレート熱交換器（11）の構成は単なる例示に過ぎず、プレート基板（33）内にマイクロチューブ（34）を埋め込んでマイクロチャネル（34）を形成した熱交換器用プレート（30）を用いている限り、その構成は適宜変更してもよい。
【００９５】
また、熱交換器用プレート（30）に関しても、プレート基板（33）内でのマイクロチューブ（34）の形状や配置の仕方は、実施形態にとらわれず、適宜変更してもよい。
【産業上の利用可能性】
【００９６】
以上説明したように、本発明は、マイクロチャネルを有する熱交換器用プレート（伝熱フィン）と、この熱交換器用プレートを用いたマイクロチャネル型の熱交換器について有用である。
【図面の簡単な説明】
【００９７】
【図１】（Ａ）は実施形態１に係るマイクロチャネル型の空気熱交換器の斜視図、（Ｂ）は伝熱フィン（熱交換器用プレート）の斜視図である。
【図２】（Ａ）は伝熱フィンの断面構造図、（Ｂ）はその変形例を示す断面構造図、（Ｃ）は他の変形例を示す断面構造図である。
【図３】実施形態２に係るマイクロチャネル型の空気熱交換器の分解斜視図である。
【図４】実施形態２の変形例に係るマイクロチャネル型の空気熱交換器の分解斜視図である。
【図５】実施形態３に係るマイクロチャネル型のプレート熱交換器の斜視図である。
【図６】（Ａ）は図５のプレート熱交換器の断面構造図、（Ｂ）はその変形例を示す断面構造図である。
【図７】実施形態４に係るマイクロチャネル型のプレート熱交換器の分解斜視図である。
【図８】実施形態４の変形例を示す分解斜視図である。
【符号の説明】
【００９８】
（30）  熱交換器用プレート
（30A） 第１熱交換器用プレート
（30B） 第２熱交換器用プレート
（32）  マイクロチャネル
（33）  プレート基板
（34）  マイクロチューブ
（35）  基材フィルム
（36）  接着層
（41）  第１ヘッダ
（41a） 第１ヘッダ開口
（42）  第２ヘッダ
（42a） 第２ヘッダ開口
（43）  スペーサ
（43a） 開口
（51）  第１流体用第１ヘッダ
（51a） 第１流体用第１ヘッダ開口
（51b） 第１流体用第１連通孔
（52）  第１流体用第２ヘッダ
（52a） 第１流体用第２ヘッダ開口
（52b） 第１流体用第２連通孔
（53）  第２流体用第１ヘッダ
（53a） 第２流体用第１ヘッダ開口
（53b） 第２流体用第１連通孔
（54）  第２流体用第２ヘッダ
（54a） 第２流体用第２ヘッダ開口
（54b） 第２流体用第２連通孔
【図１】
2005326068.tif 000003
【図２】
2005326068.tif 000004
【図３】
2005326068.tif 000005
【図４】
2005326068.tif 000006
【図５】
2005326068.tif 000007
【図６】
2005326068.tif 000008
【図７】
2005326068.tif 000009
【図８】
2005326068.tif 000010